(57)【要約】【課題】  パルス電流で電力供給する電池の電圧の低下を抑え使用時間を延ばせるようにする。【解決手段】  二次電池１１からパルス電流Ｉｐによって機器２０に電力供給する二次電池パック１０の電池アシスト回路であって、二次電池１１と機器２０との間に一次巻線ｎ１が直列に挿入接続されパルス電流Ｉｐによる電磁誘導により発生した逆起電力を二次巻線ｎ２から取り出すトランス１４と、トランス１４の二次巻線ｎ２の出力を二次電池１１に帰還する帰還手段１５、１６とを有する。帰還手段１５、１６は、逆流防止ダイオード１６を直列に接続して二次電池１１に帰還する回路を形成する。【選択図】      図１
2005237098.tif 000002
【特許請求の範囲】
【請求項１】
二次電池からパルス電流によって機器に電力供給する二次電池パックの電池アシスト回路であって、
二次電池と機器との間に一次巻線が直列に挿入接続されパルス電流による電磁誘導により発生した逆起電力を二次巻線から取り出すトランスと、
前記トランスの二次巻線の出力を二次電池に帰還する帰還手段と
を有することを特徴とする電池アシスト回路。
【請求項２】
前記帰還手段は、逆流防止ダイオードを直列に接続して前記二次電池に帰還する回路を形成することを特徴とする請求項１記載の電池アシスト回路。
【発明の詳細な説明】
【技術分野】
【０００１】
本発明は、二次電池からパルス電流によって機器に電力供給する二次電池パックの電池アシスト回路に関する。
【背景技術】
【０００２】
図２はパルス電流により電力供給を受ける機器と電池パックの構成概要を説明するための図であり、１０は二次電池パック、１１はリチウムイオン二次電池、１２はＰＴＣ、１３は保護回路、２０は機器を示す。
【０００３】
図２において、二次電池パック１０には、リチウムイオン二次電池１１、ＰＴＣ１２、保護回路１３が内蔵される。機器２０は、二次電池パック１０からパルス電流Ｉｐにより電力供給を受ける負荷である。ＰＴＣ１２は、温度保護機能を有する素子であり、二次電池の温度が高温になった場合に充放電電流を流さないように高インピーダンスになる正温度特性サーミスタ、保護回路１３は、電池電圧、充放電電流を検出して過電流・過充放電からリチウムイオン二次電池１１を保護するための回路である。このようなリチウムイオン二次電池等の二次電池パック１０を電源としてパルス電流Ｉｐによって電力供給を受けるものとして、携帯電話等の通信機器や携帯端末機器、可搬式電導機器等の機器２０がある（例えば、特許文献１参照）。
【特許文献１】特開２００１−２１８３８１号公報
【発明の開示】
【発明が解決しようとする課題】
【０００４】
図３はパルス電流により電力供給を受ける機器使用時間の使用時間を説明するための図である。リチウムイオン二次電池等の二次電池パックからパルス電流Ｉｐによって電力供給する場合、機器の必要とする高パルス電流が流れると同時に大きく低下する（２→１）。通常、携帯電話等の通信機器や携帯端末機器において、機器の最小動作電圧は決まっているので、パルス電流Ｉｐによって電力供給を受けることにより電池の電圧がこの最小動作電圧以下まで低下するようになると使用できなくなる。そのため、定電流で電力供給を受ける機器（図３に示す点線Ｖ）と比べると、パルス電流Ｉｐによって電力供給する機器での二次電池パックの使用時間は若干短くなる（最小動作電圧３．２Ｖとした図３に示す例のＴ）。このことは、パルス電流Ｉｐのピーク値が大きくなればなる程、より更なる電圧低下が起きるので、更に使用時間は短くなる。
【課題を解決するための手段】
【０００５】
本発明は、上記課題を解決するものであって、パルス電流で電力供給する電池の電圧の低下を抑え使用時間を延ばせるようにするものである。
【０００６】
そのために本発明は、二次電池からパルス電流によって機器に電力供給する二次電池パックの電池アシスト回路であって、二次電池と機器との間に一次巻線が直列に挿入接続されパルス電流による電磁誘導により発生した逆起電力を二次巻線から取り出すトランスと、前記トランスの二次巻線の出力を二次電池に帰還する帰還手段とを有することを特徴とし、前記帰還手段は、逆流防止ダイオードを直列に接続して前記二次電池に帰還する回路を形成することを特徴とするものである。
【発明の効果】
【０００７】
本発明によれば、二次電池からパルス電流によって機器に電力供給する二次電池パックの電池アシスト回路であって、二次電池と機器との間に一次巻線が直列に挿入接続されパルス電流による電磁誘導により発生した逆起電力を二次巻線から取り出すトランスと、トランスの二次巻線の出力を二次電池に帰還する帰還手段とを有し、さらに、帰還手段は、逆流防止ダイオードを直列に接続して二次電池に帰還する回路を形成するので、トランスを介して電磁誘導により発生した逆起電力を二次電池に帰還して二次電池の電圧の低下を抑えることができ、最小動作電圧以下まで低下するのを延ばし、使用時間を延ばすことができる。
【発明を実施するための最良の形態】
【０００８】
以下、本発明の実施の形態を図面を参照しつつ説明する。図１は本発明に係る電池アシスト回路の実施の形態を示す図であり、１０は電池パック、１１はリチウムイオン二次電池、１２はＰＴＣ、１３は保護回路、１４はトランス、１５は増幅回路、１６は逆流防止ダイオード、２０は機器を示す。
【０００９】
図１において、二次電池パック１０には、リチウムイオン二次電池１１、ＰＴＣ１２、保護回路１３、トランス１４、増幅回路１５、逆流防止ダイオード１６を内蔵し、機器２０は、二次電池パック１０からパルス電流Ｉｐにより電力供給を受ける負荷である。ＰＴＣ１２は、温度保護機能を有する素子であり、二次電池の温度が高温になった場合に充放電電流を流さないように高インピーダンスになる正温度特性サーミスタ、保護回路１３は、電池電圧、充放電電流を検出して過電流・過充放電からリチウムイオン二次電池１１を保護するための回路である。トランス１４は、一次巻線ｎ１が機器２０に電力供給するラインに直列に挿入接続され、二次巻線ｎ２が増幅回路１５の入力に接続される。そして、増幅回路１５の出力が逆流防止ダイオード１６を通しリチウムイオン二次電池１１を充電する極性に接続される。
【００１０】
上記構成では、二次電池パック１０から負荷である機器２０にパルス電流Ｉｐにより電力供給を行うと、パルス電流Ｉｐによる電磁誘導によりトランス１４の二次巻線に逆起電力を発生させ、そこで発生したエネルギーを増幅回路１５で増幅し逆流防止ダイオード１６を通してリチウムイオン二次電池１１へ帰還させる。このことにより、二次電池パック１０からパルス電流Ｉｐにより機器２０に電力供給しても、電圧の低下を抑えることができ、使用時間を従来よりも延ばすことが可能となる。
【００１１】
なお、本発明は、上記実施の形態に限定されるものではなく、種々の変形が可能である。例えば上記実施の形態では、ＰＴＣ１２、保護回路１３を内蔵する二次電池パックを示したが、ヒューズを温度保護としてＰＴＣ１２に代えて用いる構成やその他の構成のものにも同様に適用可能であり、また、パルス電流Ｉｐで電力供給するものだけでなく、定電流で電力供給する機器に対してそのまま適用してもよい。
【図面の簡単な説明】
【００１２】
【図１】本発明に係る電池アシスト回路の実施の形態を示す図である。
【図２】パルス電流により電力供給を受ける機器と電池パックの構成概要を説明するための図である。
【図３】パルス電流により電力供給を受ける機器使用時間の使用時間を説明するための図である。
【符号の説明】
【００１３】
１０…電池パック、１１…リチウムイオン二次電池、１２…ＰＴＣ、１３…保護回路、１４…トランス、１５…増幅回路、１６…逆流防止ダイオード、２０…機器
【図１】
2005237098.tif 000003
【図２】
2005237098.tif 000004
【図３】
2005237098.tif 000005